Podtech/llm-jp-corpus-v4-ja_patent huggingface dataset:
【手続補正書】
【提出日】平成25年7月8日(2013.7.8)
【手続補正１】
【補正対象書類名】特許請求の範囲
【補正対象項目名】全文
【補正方法】変更
【補正の内容】
【特許請求の範囲】
【請求項１】
ノズルボディ（２）と中空のスピンドル（３）とを備えた空気紡績装置（１）であって、中空のスピンドル（３）がスピンドル先端（８）と長手方向軸線（７）とを有しており、スピンドル先端（８）が、ノズルボディ（２）内に突入しており、スピンドル先端（８）の外面（１１）とノズルボディ（２）の内面（１２）との間に、環状の横断面を有する流出通路（１３）が形成されており、該流出通路（１３）の規定の個所においてスピンドル（３）の長手方向軸線（７）に対して直角に見たギャップ幅（Ｓ）が、スピンドル（３）の全周にわたって一定である形式の空気紡績装置において、スピンドル先端（８）の外面（１１）および／またはノズルボディ（２）の内面（１２）は、スピンドル（３）の長手方向軸線（７）の方向に延びる前記流出通路（１３）の延在長さに沿って前記流出通路（１３）に少なくとも２つの狭隘部が形成されるように成形されており、しかも前記流出通路（１３）はスピンドル（３）の長手方向軸線（７）の方向におけるその延在長さに沿って前記少なくとも２つの狭隘部のそれぞれにおいて、各狭隘部の前後における前記流出通路（１３）の環状の横断面よりも小さく形成された環状の横断面を有していることを特徴とする空気紡績装置。
【請求項２】
スピンドル先端（８）の外面（１１）に少なくとも１つの環状の隆起部（１５）が設けられている、請求項１記載の空気紡績装置。
【請求項３】
ノズルボディ（２）の内面（１２）に、内室に突入した少なくとも１つの環状の膨出部（１６）が設けられている、請求項１または２記載の空気紡績装置。
【請求項４】
スピンドル（３）が２つの部分から形成されていて、スピンドル先端（８）がスピンドル（３）の第１の部分であり、該第１の部分がスピンドル（３）の第２の部分に取付け可能である、請求項１から３までのいずれか１項記載の空気紡績装置。
【請求項５】
スピンドル（３）が２つの部分から形成されていて、スピンドル先端（８）の外面（１１）が、スピンドル先端スリーブ（１８）により形成されており、該スピンドル先端スリーブ（１８）が、スピンドル先端（８）に取付け可能である、請求項１から３までのいずれか１項記載の空気紡績装置。
【請求項６】
ノズルボディ（２）が２つの部分から形成されていて、ノズルボディ（２）の内面（１２）が、ノズルボディインサート（１７）により形成されており、該ノズルボディインサート（１７）が、ノズルボディ（２）内に導入可能である、請求項１から５までのいずれか１項記載の空気紡績装置。
【請求項７】
スピンドル（３）またはノズルボディ（２）が、スピンドル（３）の長手方向軸線（７）の方向（Ｄ）に運動可能であり、これによりスピンドル先端（８）に沿った流出通路（１３）の形状が調節可能である、請求項１から６までのいずれか１項記載の空気紡績装置。
【請求項８】
空気紡績装置（１）を用いて巻付き繊維を芯繊維に巻き付けることによって糸または粗糸を製造するための方法であって、該方法は、空気紡績装置（１）が、スピンドル先端（８）とスピンドル開口（９）とを備えた中空のスピンドル（３）と、ノズルボディ（２）と、繊維ガイドエレメント（４）とを有していて、スピンドル（３）のスピンドル先端（８）がノズルボディ（２）内に突入しており、スピンドル先端（８）の外面（１１）とノズルボディ（２）の内面（１２）との間に、環状の横断面を有する流出通路（１３）が形成されており、繊維ガイドエレメント（４）を通じて空気紡績装置（１）内に導入された繊維が、渦流によって芯繊維と巻付き繊維とファイバロスとに分割され、芯繊維は直接にスピンドル開口内に導入され、巻付き繊維は一方の端部が芯繊維内に捕捉され、他方の端部がスピンドル先端（８）に巻き付けられ、ファイバロスは、スピンドル（３）に沿って案内される空気流によって空気紡績装置（１）から搬出される方法において、前記流出通路（１３）は、ファイバロスの形で存在する繊維が搬出前に巻付き繊維によって捕捉されて、糸または粗糸内に取り込まれ、しかもスピンドル（３）の長手方向軸線（７）の方向に延びる前記流出通路（１３）の延在長さに沿って前記流出通路（１３）に少なくとも２つの狭隘部が形成され、かつこれらの狭隘部のそれぞれにおいて、各狭隘部の前後における前記流出通路（１３）の環状の横断面よりも小さく形成された環状の横断面が生じるように成形されていることを特徴とする、糸または粗糸を製造するための方法。
【請求項９】
空気流に対して直角にスピンドル（３）に沿って渦流が形成されるように前記流出通路（１３）により空気流に影響が与えられる、請求項８記載の方法。
【請求項１０】
請求項１から６までのいずれか１項記載の空気紡績装置（１）で使用するためのスピンドル（３）であって、糸案内通路（６）とスピンドル先端（８）とが設けられていて、糸案内通路（６）が、スピンドル先端（８）に設けられたスピンドル開口（９）に開口している形式のスピンドル（３）において、スピンドル先端（８）が、少なくとも１つの隆起部（１５）を備えていることを特徴とする、空気紡績装置で使用するためのスピンドル。
【請求項１１】
スピンドル先端（８）の最小外径（Ｂ）に対する前記隆起部（１５）の最大外径（Ａ）の比が、１．０５〜１．５である、請求項１０記載のスピンドル。
【請求項１２】
スピンドル（３）が２つの部分から形成されていて、スピンドル（３）の第１の部分がスピンドル先端（８）により形成されている、請求項１０または１１記載のスピンドル。
【請求項１３】
スピンドル（３）が２つの部分から形成されていて、スピンドル（３）の第１の部分が、スピンドル（３）に装着可能なスピンドル先端スリーブ（１８）により形成されており、該スピンドル先端スリーブ（１８）に少なくとも１つの隆起部（１５）が一体成形されている、請求項１０または１１記載のスピンドル。
【請求項１４】
スピンドル（３）内に糸ガイドインサート（１９）が導入可能であり、これによりスピンドル開口（９）および／または糸案内通路（６）の寸法および形状が可変である、請求項１０から１３までのいずれか１項記載のスピンドル。
【手続補正書】
【提出日】平成25年7月3日(2013.7.3)
【手続補正１】
【補正対象書類名】特許請求の範囲
【補正対象項目名】全文
【補正方法】変更
【補正の内容】
【特許請求の範囲】
【請求項１】
供給物質として化学反応に用いられる流体を、空間的に分けられた移送弁を備えた容積式ポンプ並びに容積式ポンプと移送弁間の流体充填された振り子ラインによって連続的に移送するための方法において、該振り子ラインに、該化学反応の生成物又は出発材料であり、且つ、該移送されるべき流体の融点より低い融点を有するか若しくは該移送されるべき流体の飽和温度より低い融点を有する補助流体が存在することを特徴とする方法。
【請求項２】
前記流体が有機化合物であることを特徴とする、請求項１記載の方法。
【請求項３】
前記有機化合物が芳香族化合物であり、前記化学反応が水素化であり、且つ補助流体として前記芳香族化合物の水素化の生成物が用いられることを特徴とする、請求項２記載の方法。
【請求項４】
前記芳香族化合物が芳香族アミンであることを特徴とする、請求項３記載の方法。
【請求項５】
前記有機化合物がカルボン酸又はカルボン酸誘導体であり、前記化学反応がエステルの製造法であり、且つ補助流体として、前記反応に際して形成されるエステル又は出発材料として使用されるアルコールが用いられることを特徴とする、請求項２記載の方法。
【請求項６】
前記流体が、５０〜３００℃の融点又は飽和温度を有することを特徴とする、請求項１から５までのいずれか１項記載の方法。
【請求項７】
前記補助流体の融点が５０℃以下であることを特徴とする、請求項１から６までのいずれか１項記載の方法。
【請求項８】
前記容積式ポンプがダイヤフラムポンプであることを特徴とする、請求項１から７までのいずれか１項記載の方法。
【請求項９】
前記補助流体が連続的に前記振り子ラインに計量供給されることを特徴とする、請求項１から８までのいずれか１項記載の方法。
【請求項１０】
前記補助流体の容積流対前記移送されるべき流体の容積流が、１：１０〜１：１００の範囲にあることを特徴とする、請求項１から９までのいずれか１項記載の方法。
【請求項１１】
前記補助流体の計量供給をダイヤフラムポンプを用いて行うことを特徴とする、請求項１から１０までのいずれか１項記載の方法。
【請求項１２】
前記補助流体を移送するためのポンプのモーターと容積式ポンプのモーターが機械的又は電子的に互いに結合されていることを特徴とする、請求項１から１１までのいずれか１項記載の方法。
【請求項１３】
芳香族化合物を水素化するための方法において、芳香族化合物又は芳香族化合物の溶液を、空間的に分けられた移送弁を備えた容積式ポンプ並びに容積式ポンプと移送弁間の流体充填された振り子ラインによって反応器に供給し、その際、該振り子ラインに、該芳香族化合物の水素化の生成物である補助流体が存在し、且つ、その際、該補助流体が、該芳香族化合物の融点より低い融点を有するか若しくは該芳香族化合物の溶液の飽和温度より低い融点を有することを特徴とする方法。
【請求項１４】
エステルの製造法において、カルボン酸又はカルボン酸誘導体若しくはカルボン酸又はカルボン酸誘導体の溶液を、空間的に分けられた移送弁を備えた容積式ポンプ並びに容積式ポンプと移送弁間の流体充填された振り子ラインによって反応器に供給し、その際、該振り子ラインに、該エステル製造の生成物又は出発材料として使用されるアルコールである補助流体が存在し、且つ、その際、該補助流体が、該カルボン酸又は該カルボン酸誘導体の融点より低い融点を有するか若しくは該カルボン酸又は該カルボン酸誘導体の溶液の飽和温度より低い融点を有することを特徴とする方法。
【請求項１５】
空間的に分けられた移送弁を備えた容積式ポンプ並びに容積式ポンプと移送弁間の流体充填された振り子ラインを包含するポンプ系によって芳香族化合物を移送するための、補助流体としての、芳香族化合物の水素化によって形成された生成物の使用。
【請求項１６】
空間的に分けられた移送弁を備えた容積式ポンプ並びに容積式ポンプと移送弁間の流体充填された振り子ラインを包含するポンプ系によってカルボン酸又はカルボン酸誘導体若しくはカルボン酸又はカルボン酸誘導体の溶液を移送するための、補助流体としての、アルコール又はカルボン酸エステルの使用。
【手続補正書】
【提出日】平成25年7月8日(2013.7.8)
【手続補正１】
【補正対象書類名】特許請求の範囲
【補正対象項目名】全文
【補正方法】変更
【補正の内容】
【特許請求の範囲】
【請求項１】
冷蔵庫であって、
ａ）温度管理下での保存用に物品をその内部に配置し得る庫内容器、
ｂ）液体を収納する構成を有し、前記庫内容器をその内部に配置するリザーバにして、その使用時に、前記庫内容器が少なくとも部分的に前記液体中に沈められ、そのヘッドスペースが前記庫内容器より高いリザーバ、
を含み、
前記ヘッドスペースが、前記ヘッドスペース内の液体と熱連通状態とされ、かくして使用時に前記液体を冷却する冷却手段を配置し得る構成を有する冷蔵庫。
【請求項２】
前記ヘッドスペース内の液体を冷却するための冷却手段を含み、前記冷却手段が、冷蔵ユニット及びその使用時の温度が庫内空間の目標温度以下であるサーマルマスの少なくとも何れかであり、前記サーマルマスが、随意的に液体の氷塊または氷パックである請求項１に記載の冷蔵庫。
【請求項３】
前記冷蔵ユニット用の電源を含み、前記電源が、主電源及び太陽光を電力に変換する複数の光電池等の手段の少なくとも何れかである請求項２に記載の冷蔵庫。
【請求項４】
前記冷蔵ユニットが、電動式コンプレッサ及び随意的にソーラーダイレクトドライブモード下に作動するスターリングクーラーの少なくとも何れかを含む請求項２または請求項２に係属する請求項３に記載の冷蔵庫。
【請求項５】
リザーバ内の結氷を検出するよう配置したセンサを含み、前記センサが、結氷検出時に冷蔵ユニット作動を中断させるよう作動し得る請求項２または請求項２に係属する前記何れかの請求項に記載の冷蔵庫。
【請求項６】
前記サーマルマス受け用の画室を含む請求項２または請求項２に係属する前記何れかの請求項に記載の冷蔵庫。
【請求項７】
庫内空間を貫いて伸延する１つ以上の液体担持用通路を含む請求項１〜６の何れかに記載の冷蔵庫。
【請求項８】
ヘッドスペースが、その使用時に庫内容器の真上及び庫内容器の一側面の何れかに位置付けられる請求項１〜７の何れかに記載の冷蔵庫。
【請求項９】
庫内容器が、冷蔵庫の使用時に庫内容器の一側面及び庫内容器の上部の何れかに位置付けられる開口及び蓋を含む請求項８に記載の冷蔵庫。
【請求項１０】
前記蓋が、リザーバ上に担持した絶縁性のドアである請求項９に記載の冷蔵庫。
【請求項１１】
リザーバが、該リザーバ内の液体と該リザーバの周囲の液体との間の伝熱を最小化させるべく絶縁される請求項１〜１０の何れかに記載の冷蔵庫。
【請求項１２】
その使用時に冷却手段と接近状態下に熱連通される製氷画室を更に含む請求項１〜１１の何れかに記載の冷蔵庫。
【請求項１３】
前記製氷画室が、その使用時に絶縁性ドアにより閉鎖される開口を有し、前記絶縁性ドアが随意的に庫内容器をも閉鎖する請求項１２に記載の冷蔵庫。
【請求項１４】
液体収納用のライナを格納する外側ケースを含み、前記外側ケースが、随意的に可撓性のプラスチック材料から形成される請求項１〜１３の何れかに記載の冷蔵庫。
【請求項１５】
前記外側ケースが冷蔵庫に構造的強度及び熱絶縁性を提供する請求項１４に記載の冷蔵庫。
【手続補正書】
【提出日】平成25年6月10日(2013.6.10)
【手続補正１】
【補正対象書類名】特許請求の範囲
【補正対象項目名】全文
【補正方法】変更
【補正の内容】
【特許請求の範囲】
【請求項１】
第１の偏光状態を有する偏光照射を提供するように励起可能な光源システムと、
前記偏光照射とは異なる偏光状態を有する第１及び第２の光ビームを交互に生成するビーム分割システムと、
前記第１及び第２の光ビームを合成光ビームに合成する偏光ビームコンバイナを備える合成システムと、
前記合成光ビームを、ステレオイメージデータと一致する方法で変調して、前記第１の偏光状態を有する前記合成光ビームの中の照射から第１の変調イメージを形成し、且つ第２の偏光状態を有する前記合成光ビームの中の照射から第２の変調イメージを形成する、空間光変調器と、
前記第１及び第２の変調イメージを投影するように構成された投影光学系と、
を備える、ステレオデジタルイメージ投影システム。
【請求項２】
前記ビーム分割システム及び前記偏光ビームコンバイナが薄膜プレートである、請求項１に記載のシステム。
【請求項３】
前記ビーム分割システムが前記第１の光ビームの経路に偏光回転子を備え、前記偏光回転子が、前記偏光ビームコンバイナからの出力時に前記第１及び第２の光ビームの光出力強度とのマッチング又は実質的なマッチングをつくりだすように位置されている、請求項１に記載のシステム。
【手続補正書】
【提出日】平成25年6月18日(2013.6.18)
【手続補正１】
【補正対象書類名】特許請求の範囲
【補正対象項目名】全文
【補正方法】変更
【補正の内容】
【特許請求の範囲】
【請求項１】
光学干渉多層被膜を有する物品であって、前記被膜が、
第１の複数の交互の第１及び第２層を有する第１領域であって、前記第１層が比較的低い屈折率を有し、前記第２層が前記第１層よりも比較的高い屈折率を有する、第１領域と、
第２の複数の交互の第３及び第４層を有する第２領域であって、前記第３層が比較的低い屈折率を有し、前記第４層が前記第３層よりも比較的高い屈折率を有する、第２領域と、を有し、
前記第１領域が物理蒸着プロセスによって形成され、前記第２領域が化学蒸着プロセスによって形成される、物品。
【請求項２】
前記ＰＶＤプロセスが、熱蒸着、ＲＦ蒸着、電子ビーム蒸着、反応蒸着、ＤＣスパッタリング、ＲＦスパッタリング、マイクロ波スパッタリング、マグネトロンスパッタリング、マイクロ波増強ＤＣマグネトロンスパッタリング、アークプラズマ蒸着、反応スパッタリング、レーザアブレーション、及びこれらの組み合わせから成る群より選択される、請求項１に記載の物品。
【請求項３】
前記ＣＶＤプロセスは、常圧ＣＶＤ、低圧ＣＶＤ、高真空ＣＶＤ、超高真空ＣＶＤ、エアロゾルＣＶＤ、直接液体注入ＣＶＤ、マイクロ波プラズマＣＶＤ、プラズマ増強ＣＶＤ、遠隔プラズマ増強ＣＶＤ、原子層ＣＶＤ、熱線ＣＶＤ、有機金属ＣＶＤ、ハイブリッド物理化学蒸着、高速熱ＣＶＤ、気相エピタキシ、及びこれらの組み合わせから成る群より選択される、請求項１に記載の物品。
【請求項４】
前記第１領域が、前記第１の複数の交互の第１及び第２層において第１平均界面粗さを有し、前記第２領域が、前記第２の複数の交互の第３及び第４層において第２平均界面粗さを有し、
前記第１平均界面粗さが前記第２平均界面粗さよりも大きい、請求項１に記載の物品。
【請求項５】
前記第１層及び前記第３層が、セラミック材料、耐火材料、金属又は半金属の酸化物、金属又は半金属のフッ化物、及び金属又は半金属の窒化物とは別個に選択される材料を含む、請求項１に記載の物品。
【請求項６】
前記第２及び前記第４層が、Ｔｉ、Ｚｒ、Ｈｆ、Ｎｂ、Ｗ、Ｍｏ、Ｉｎ、及びＴａから選択される１つ以上の金属の１つ以上の酸化物又は混合酸化物とは別個に選択される材料を含む、請求項１に記載の物品。
【請求項７】
前記第１領域が、前記被膜の合計幾何学的厚みの約５０％から約９０％の幾何学的厚みを有し、前記第２領域が、前記被膜の前記合計幾何学的厚みの約１０％から約５０％の幾何学的厚みを含む、請求項１に記載の物品。
【請求項８】
前記被膜が、６０％超の可視光の平均透過率を有し、電磁スペクトルの赤外領域において少なくとも約３０％の平均反射率を有する、請求項１に記載の物品。
【請求項９】
ランプであって、
表面及び光源を有する光透過性エンベロープであって、少なくとも部分的に前記光源を包囲する、エンベロープを備え、
前記光透過性エンベロープの表面の少なくとも一部には、
（ａ）第１の複数の交互の第１及び第２層を有する第１領域であって、前記第１層が比較的低い屈折率を有し、前記第２層が前記第１層よりも比較的高い屈折率を有する、第１領域と、
（ｂ）第２の複数の交互の第３及び第４層を有する第２領域であって、前記第３層が比較的低い屈折率を有し、前記第４層が前記第３層よりも比較的高い屈折率を有する、第２領域と、を有する光学干渉多層被膜が設けられ、
前記第１領域が化学蒸着プロセスによって形成され、前記第２領域が物理的蒸着プロセスによって形成される、ランプ。
【請求項１０】
光学干渉多層被膜を有する物品を作製する方法であって、
基板を準備するステップと、
物理蒸着プロセスによって、第１の複数の交互の第１及び第２層を有する第１領域を蒸着させるステップであって、前記第１層が比較的低い屈折率を有し、前記第２層が前記第１層よりも比較的高い屈折率を有する、ステップと、
化学蒸着プロセスによって、第２の複数の交互の第３及び第４層を有する第２領域を蒸着させるステップであって、前記第３層が比較的低い屈折率を有し、前記第４層が前記第３層よりも比較的高い屈折率を有する、ステップと、を含み、
前記第１及び第２領域のうちの１つが前記基板に隣接している、方法。
【手続補正書】
【提出日】平成25年4月12日(2013.4.12)
【手続補正１】
【補正対象書類名】特許請求の範囲
【補正対象項目名】全文
【補正方法】変更
【補正の内容】
【特許請求の範囲】
【請求項１】
第１アイドルホイール及び第２アイドルホイール（４，５）と、第１クラッチ及び第２クラッチ（６，７）と、被動軸（２）とを備えるクラッチ装置（１）であって、前記第１及び第２アイドルホイール（４，５）は前記被動軸（２）周りに回転可能に配置し、また前記双方のクラッチ（６，７）は、圧力媒体で作動するピストン・シリンダユニット（２０）により操作可能にし、前記アイドルホイール（４，５）のそれぞれ一方を選択的に前記被動軸（２）に対して相対回転不能に連結することができ、さらに前記ピストン・シリンダユニット（２０）は段階的ピストンを有する構成としたクラッチ装置において、
前記クラッチ装置は、トルクを伝達しない第３切り替え位置を選択可能であり、また前記ピストン・シリンダユニット（２０）におけるピストンの片側にのみ圧力媒体を負荷させることができ、さらに前記段階的ピストンは、前記被動軸（２）に堅固に連結した固定ピストン（２８）、及び軸線方向に変位可能な牽引ピストン（２９）を有する構成としたことを特徴とするクラッチ装置。
【請求項２】
請求項１記載のクラッチ装置において、前記ピストン・シリンダユニット（２０）におけるシリンダ（２２）を、前記被動軸（２）に対して軸線方向に変位可能に配置したことを特徴とするクラッチ装置。
【請求項３】
請求項１又は２記載のクラッチ装置において、前記ピストン・シリンダユニット（２０）を環状に構成し、かつ前記被動軸（２）に対して同軸状に配置したことを特徴とするクラッチ装置。
【請求項４】
請求項３記載のクラッチ装置において、固定ピストン（２８）及び牽引ピストン（２９）をそれぞれ環状ピストンとして構成したことを特徴とするクラッチ装置。
【請求項５】
請求項３記載のクラッチ装置において、固定ピストン（２８）を環状ピストンとして構成し、また牽引ピストン（２９）を前記固定ピストン（２８）の周方向に分布させた複数、かつ個別の牽引ピストン（２９ａ，２９ｂ）で構成したことを特徴とするクラッチ装置。
【請求項６】
請求項１〜５のいずれか一項記載のクラッチ装置において、前記ピストン・シリンダユニット（２０）に負荷を加えるための前記圧力媒体を、前記被動軸（２）に設ける少なくとも１個の圧力媒体チャネル（３１）を通して送給する構成としたことを特徴とするクラッチ装置。
【請求項７】
請求項１〜６のいずれか一項記載のクラッチ装置において、前記クラッチ（６，７）は、それぞれに割り付けた前記アイドルホイール（４，５）に相対回転不能に結合した少なくとも１個の外側ディスク（８，９）と、少なくとも１個の内側ディスクを装着し、かつ前記被動軸（２）に相対回転不能に連結した少なくとも１個のディスク装着リング（１０，１１）とを有し、前記外側ディスク（８，９）のそれぞれを前記内側ディスクに対してトルク伝達するよう結合可能にしたことを特徴とするクラッチ装置。
【請求項８】
請求項１〜７のいずれか一項記載のクラッチ装置において、前記クラッチ（６，７）の両方を多板式摩擦クラッチとして構成したことを特徴とするクラッチ装置。
【請求項９】
湿し装置用の伝動装置を備える印刷機であって、請求項１〜８のいずれか一項記載のクラッチ装置（１）を有する構成としたことを特徴とする印刷機。
【手続補正書】
【提出日】平成25年5月13日(2013.5.13)
【手続補正１】
【補正対象書類名】特許請求の範囲
【補正対象項目名】全文
【補正方法】変更
【補正の内容】
【特許請求の範囲】
【請求項１】
流体弁とともに使用するためのボンネット組立体であって、
前記流体弁のシャフトの少なくとも一部を受け入れる通路を画定し、前記流体弁に取外し可能に結合されるものとするボンネットと、
前記流体弁を通る流体の流れに実質的に暴露されないように前記ボンネット内に取り付けられる保持組立体であって、キャップによって前記ボンネット内に取り付けられ、前記シャフト内にある溝部および前記溝部内に少なくとも一部がある複数のリングセグメントを備え、保持組立体と前記キャップとの相互作用により、前記シャフトの長手軸に沿う前記シャフトの移動量を制御して、前記流体弁の着座面に対して前記シャフトの１つのみの端部に結合された密封要素の整合を可能とする保持組立体と、
を備えるボンネット組立体。
【請求項２】
前記複数のリングセグメントの一部が、前記溝部から延在し、前記ボンネット内の表面と係合する、請求項１に記載のボンネット組立体。
【請求項３】
前記保持組立体は、少なくとも部分的に前記シャフト内の溝部を包囲し、前記ボンネット内で捕捉された複数のリングセグメントを備える、請求項１に記載のボンネット組立体。
【請求項４】
前記保持組立体は、前記ボンネットから延在する前記シャフトのもう一方の端部に隣接する、請求項１に記載のボンネット組立体。
【請求項５】
前記保持組立体は、保持部が周囲に配置されるものとする前記シャフトによって画定された第１の溝部を備える、請求項１に記載のボンネット組立体。
【請求項６】
前記ボンネットは、前記通路を画定する細長い部材および前記キャップの一部を受け入れるための空洞部を画定するカラーを備える、請求項５に記載のボンネット組立体。
【請求項７】
前記保持組立体は、前記保持部が内部に少なくとも部分的に配置された前記キャップによって画定された第２の溝部をさらに備える、請求項６に記載のボンネット組立体。
【請求項８】
前記保持組立体は、前記第１の溝部から延在する前記保持部の一部によって係合される前記カラーの肩部をさらに備え、前記保持部、前記第１の溝部、前記第２の溝部、および前記肩部の間の相互作用は、前記流体弁の前記着座面に対して前記密封要素の整合を可能にするために、前記シャフトの前記長手軸に沿った前記シャフトの前記移動量を制御する、請求項７に記載のボンネット組立体。
【請求項９】
前記第２の溝部に対して前記保持部の整合を可能にするために、前記第２の溝部を包囲するテーパ面をさらに備える、請求項８に記載のボンネット組立体。
【請求項１０】
前記第１の溝部の厚さは、前記保持部の厚さより比較的大きい、請求項８に記載のボンネット組立体。
【請求項１１】
前記保持部は、複数のリングセグメントを備える、請求項８に記載のボンネット組立体。
【請求項１２】
前記複数のリングセグメントは対称形である、請求項１１に記載のボンネット組立体。
【請求項１３】
前記第２の溝部は、前記シャフトが前記ボンネットから延在して通る前記キャップによって画定された開口を包囲する、請求項８に記載のボンネット組立体。
【請求項１４】
流体弁であって、
その中を通る前記流体の流れを可能にする流れ開口を有する弁本体と、
前記流れ開口を包囲する密封部と、
そこから延在するシャフトを有する密封要素であって、前記流れ開口を通る前記流体の流れを制御するために前記密封部および前記流れ開口に対して可動である密封要素と、
前記弁本体に取外し可能に結合され、前記シャフトを受け入れるための通路を有するボンネットと、
前記流体弁を通る流体の流れに実質的に暴露されないように前記ボンネット内に取り付けられる保持組立体であって、キャップによって前記ボンネット内に取り付けられ、前記シャフト内にある溝部および前記溝部内に少なくとも一部がある複数のリングセグメントを備え、保持組立体と前記キャップとの相互作用により、前記シャフトの長手軸に沿う前記シャフトの移動量を制御して、前記流体弁の着座面に対して前記シャフトの１つのみの端部に結合された密封要素の整合を可能とする保持組立体と、を備える流体弁。
【請求項１５】
前記複数のリングセグメントの一部は、前記溝部から延びて、前記ボンネットの表面に係合する、請求項１４に記載の流体弁。
【請求項１６】
前記ボンネットは前記通路を形成する長い部分と、前記キャップの一部を受け入れる空洞部を形成するカラーとを備えた、請求項１４に記載の流体弁。
【請求項１７】
前記保持組立体は、前記シャフト内の溝部を少なくとも部分的に包囲し、前記ボンネット内で捕捉された複数のリングセグメントを備える、請求項１４に記載の流体弁。
【請求項１８】
流体弁であって、
その中を通る前記流体の流れを可能にする流れ開口を有する弁本体と、
前記流れ開口を包囲する密封部と、
そこから延在するシャフトを有する密封要素であって、前記流れ開口を通る前記流体の流れを制御するために前記密封部および前記流れ開口に対して可動である密封要素と、
前記弁本体に取外し可能に結合され、前記シャフトを受け入れるための通路を有するボンネットと、
前記弁本体および前記密封部に対して前記シャフトの１つのみの端部に結合された前記密封要素の整合を可能にするための、前記シャフトの長手軸に沿って前記シャフトの移動量を制御するための手段であって、前記流体弁を通る流体の流れに実質的に暴露されない前記ボンネット内に取り付けられている、手段と、を備え、
長手軸に沿って前記シャフトの移動量を制御するための手段は、キャップによって前記ボンネット内に保持されて、シャフト内にある溝部および前記溝部内に少なくとも一部がある複数のリングセグメントを備え、前記シャフトの移動量を制御するための手段と前記キャップとの相互作用によって、前記シャフトの長手軸に沿う前記シャフトの移動量が制御される流体弁。
【請求項１９】
前記複数のリングセグメントの一部は、前記溝部から延在し、前記ボンネット内の表面と係合する、請求項１８に記載の流体弁。
【請求項２０】
回転弁であって、
その中を通る流体の流れを可能にする流れ開口を有する弁本体と、
前記流れ開口を包囲する密封面と、
前記弁本体に結合され、シャフトを受け入れるための通路を有するボンネットと、
少なくとも部分的に前記シャフトに沿って配置され、前記流れ開口から離間されたシャフト保持部と、
前記流れ開口を通る流体流れを制御するために前記シャフトのもう一方の端部を経由して片持ちに作られた流体流れ制御部材であって、前記シャフト保持部は、キャップによって前記ボンネット内に保持されて、シャフト内にある溝部および前記溝部内に少なくとも一部がある複数のリングセグメントを有する流体流れ制御部材を備え、
前記シャフト保持部とキャップの相互作用により、前記シャフトの長手軸に沿う前記シャフトの移動が略規制され、前記密封面に対して前記シャフトの１つのみの端部に結合された流体流れ制御部材を整合させる、回転弁。
【請求項２１】
前記シャフト保持部は、前記シャフトの肩部と前記ボンネットに結合されたキャップとの間で前記ボンネット内に捕捉された軸受組立体を備え、前記複数のリングセグメントの一部は前記溝部から延びて、前記ボンネットの面に係合する、請求項２０に記載の回転弁。
【手続補正書】
【提出日】平成25年6月5日(2013.6.5)
【手続補正１】
【補正対象書類名】特許請求の範囲
【補正対象項目名】全文
【補正方法】変更
【補正の内容】
【特許請求の範囲】
【請求項１】
荷重を弁パッキンに与えるための装置であって、
荷重をシールアセンブリに提供するように、弁パッキンフランジとストッパフランジとの間に配設される付勢要素を有する、荷重アセンブリであって、前記パッキンフランジは、前記シールに印加される前記荷重を調整するように、前記ストッパフランジに対して調整可能である、荷重アセンブリと、
前記パッキンフランジと前記ストッパフランジとの間の第１の所定の距離を提供するように、前記パッキンフランジの第１の開口または前記ストッパフランジの第２の開口に連結される、第１のガイド部材であって、前記第１のガイド部材は、前記パッキンフランジおよび前記ストッパフランジが前記第１のガイド部材によって提供される前記第１の所定の距離だけ離間された時に、前記荷重アセンブリによって提供される第１の所定の荷重の指示を提供する、第１のガイド部材と、
を備える、装置。
【請求項２】
前記パッキンフランジと前記ストッパフランジとの間の第２の所定の距離を提供するように、前記パッキンフランジの前記第１の開口または前記ストッパフランジの前記第２の開口の他方に連結される、第２のガイド部材をさらに備え、前記第２のガイド部材は、前記パッキンフランジおよび前記ストッパフランジが前記第２のガイド部材によって提供される前記第２の所定の距離だけ離間された時に、前記荷重アセンブリによって提供される第２の所定の荷重の指示を提供する、請求項１に記載の装置。
【請求項３】
前記第１のガイド部材は、前記荷重アセンブリが、前記第１の所定の荷重よりも大きい荷重を前記シールに印加するのを機械的に止めるためのものである、請求項２に記載の装置。
【請求項４】
前記第１のガイド部材は、前記パッキンフランジの前記第１の開口内、または前記ストッパフランジの前記第２の開口内に配設される、請求項２に記載の装置。
【請求項５】
前記第２のガイド部材は、前記荷重アセンブリが、前記第２の所定の荷重よりも大きい荷重を前記シールアセンブリに印加するのを機械的に止めるためのものである、請求項２に記載の装置。
【請求項６】
前記第２のガイド部材は、前記パッキンフランジの前記第１の開口内、または前記ストッパフランジの前記第２の開口内に配設される、請求項２に記載の装置。
【請求項７】
前記第１のガイド部材は、前記第２のガイド部材と同軸に整合させられる、請求項２に記載の装置。
【請求項８】
前記第１の所定の荷重は、前記シールアセンブリに提供される公称パッキン応力を備え、前記第２の所定の荷重は、前記シールアセンブリに提供される最大パッキン応力を備える、請求項２に記載の装置。
【請求項９】
前記ガイド部材は、締結具またはピンを備える、請求項１に記載の装置。
【請求項１０】
前記ピンは、前記第１の所定の荷重の指示を提供するように、第１の段付き表面を含む、請求項９に記載の装置。
【請求項１１】
前記ピンは、前記第２の所定の荷重の指示を提供するように、第２の段付き表面を含む、請求項１０に記載の装置。
【請求項１２】
前記荷重アセンブリが、最大の所定の荷重よりも大きい荷重を前記シールアセンブリに印加するのを機械的に止めるように、前記パッキンフランジに着脱可能に取り付けられ、かつ前記ピンと同軸に整合させられる、ストッパをさらに備える、請求項１１に記載の装置。
【請求項１３】
荷重を弁パッキンに与えるための方法であって、
付勢アセンブリの自由状態に少なくともほぼ対応する位置に、パッキンフランジナットを調整することと、
第１のゲージ部材を第１のフランジに連結することと、
前記第１のゲージ部材の第１の表面と、前記第１のフランジに対向する基準表面との間の間隙を第１の所定の距離に調整することと、
前記第１のゲージ部材の前記第１の表面が前記基準表面と実質的に整合するように、そして前記第１のゲージ部材が前記基準表面と実質的に整合した時に、荷重アセンブリに、第１の所定のパッキン応力を前記弁パッキンに提供させるように、前記パッキンフランジナットを締めることと、
を含む、方法。
【請求項１４】
前記第１のフランジから前記第１のゲージ部材を除去することをさらに含む、請求項１３に記載の方法。
【請求項１５】
第２のゲージ部材の第２の表面と前記基準表面との間の間隙を調整することをさらに含み、前記第２のゲージ部材は、前記第２のゲージ部材が前記基準表面と実質的に整合した時に、前記弁パッキンに提供される第２の所定のパッキン応力の指示を提供する、請求項１４に記載の方法。
【請求項１６】
前記第１のゲージ部材は、前記荷重アセンブリが前記第１の所定のパッキン応力を前記弁パッキンに提供した時に、前記第１のフランジに対向する第２のフランジに係合する、請求項１３に記載の方法。
【請求項１７】
前記基準表面は、前記第１のフランジに対向する第２のフランジの表面、または第２のゲージ部材の第２の表面である、請求項１３に記載の方法。
【請求項１８】
前記基準表面は、前記第２のフランジに連結され、かつ第１のゲージと同軸に整合させられる、第２のゲージ部材を備える、請求項１７に記載の方法。
【手続補正書】
【提出日】平成25年6月28日(2013.6.28)
【手続補正１】
【補正対象書類名】特許請求の範囲
【補正対象項目名】全文
【補正方法】変更
【補正の内容】
【特許請求の範囲】
【請求項１】
電気エネルギーを発生させる化石燃料火力発電プラントからの煙道ガスを処理するためのシステムであって、
前記煙道ガスの第１の低圧圧縮のための断熱圧縮機と、
１つ以上の段と１つ以上の冷却器とを有する第２の低圧圧縮システムと、
幾つかの段と１つ以上の冷却器とを有する高圧圧縮システムと
を備え、
前記第２の低圧圧縮システムと前記高圧圧縮システムとの両方は、単一の装置内で結合され、１本の共通シャフト上に配置され、且つ１つの共通駆動装置により駆動されることを特徴とする、システム。
【請求項２】
前記第２の低圧圧縮システムの下流で且つ前記高圧圧縮システムの上流に配置された、前記煙道ガスから不活性ガスを除去することにより前記煙道ガスを低温精製するためのユニットを更に備えることを特徴とする、請求項１に記載のシステム。
【請求項３】
前記第２の低圧圧縮システムの下流に配置された脱水ユニットを更に備えることを特徴とする、請求項１に記載のシステム。
【請求項４】
前記システムは、単一のシャフト上に配置された２段の低圧圧縮機段と４〜６段の高圧圧縮機段とを備えていることを特徴とする、請求項１に記載のシステム。
【請求項５】
前記断熱圧縮機の下流に配置された熱交換器を更に備えることを特徴とする、請求項１に記載のシステム。
【請求項６】
熱回収のために水流システムとの熱交換を行うように構成された熱交換器を更に備えることを特徴とする、請求項１に記載のシステム。
【請求項７】
熱回収のために水流システムとの熱交換を行うように構成された熱交換器を更に備えており、前記水流システムは、蒸気タービン発電プラントの水／蒸気サイクルの一部であることを特徴とする、請求項１に記載のシステム。
【請求項８】
熱回収のために水流システムとの熱交換を行うように構成された熱交換器を更に備えており、前記水流システムは、凝縮物抽出ポンプに接続されていることを特徴とする、請求項１に記載のシステム。
【請求項９】
前記断熱圧縮機は、前記煙道ガスの吐出圧力が５ｂａｒ  ａｂｓから２０ｂａｒ  ａｂｓまでの範囲の圧力となるように構成されていることを特徴とする、請求項１に記載のシステム。
【請求項１０】
前記断熱圧縮機は、前記煙道ガスの吐出圧力が７ｂａｒ  ａｂｓから９ｂａｒ  ａｂｓまでの範囲の圧力となるように構成されていることを特徴とする、請求項１に記載のシステム。
【請求項１１】
前記断熱圧縮機及び前記低圧圧縮システムは、前記低圧圧縮システムの第１段の吐出圧力に対する前記断熱圧縮機の吐出圧力の比率が１.５から２.５までの範囲となるよう構成されていることを特徴とする、請求項１に記載のシステム。
【請求項１２】
低温精製ユニットから前記高圧圧縮システムの第１の入口へと通じる低圧精製ＣＯ２ガス用の第１のラインと、前記低温精製ユニットから前記高圧圧縮システムの中間段へと通じる中圧精製ＣＯ２ガス用の第２のラインとを更に備えることを特徴とする、請求項１に記載のシステム。
【請求項１３】
前記煙道ガスの圧縮システムの上流の低圧煙道ガス処理システム内に又は前記断熱圧縮機の後に配置されたＳＯｘ及びＮＯｘの除去又は還元用システムを更に備えることを特徴とする、請求項１に記載のシステム。
【請求項１４】
前記システムは、ガス、石炭又は酸素吹石炭を燃料とする発電プラント、若しくは、燃焼後ＣＯ２捕捉のための設備を有するガスタービン発電プラントと統合されていることを特徴とする、請求項１に記載のシステム。
【手続補正書】
【提出日】平成24年3月22日(2012.3.22)
【手続補正１】
【補正対象書類名】特許請求の範囲
【補正対象項目名】全文
【補正方法】変更
【補正の内容】
【特許請求の範囲】
【請求項１】
１つ又は複数の対象体の２型糖尿病、糖尿病前症、インスリン抵抗性、及びそれらの関連状態のうちの少なくとも１つを判定、診断、及びモニターすることのうちの少なくとも１つをするために、ＡｐｏＣＩＩＩ及びその変異体のうちの少なくとも１つを分析する方法。
【請求項２】
ＡｐｏＣＩＩＩ（０）、ＡｐｏＣＩＩＩ（１）、及びＡｐｏＣＩＩＩ（２）のうちの少なくとも１つを分析するステップを含む、請求項１に記載の方法。
【請求項３】
質量分析、クロマトグラフィー、親和性反応、ゲル電気泳動法、遠心分離、化学的方法、及び染色法のうちの少なくとも１つを実施するステップを含む、請求項１に記載の方法。
【請求項４】
単一のアッセイを実施するステップを含む、請求項１に記載の方法。
【請求項５】
単一の質量分析を実施するステップを更に含む、請求項４に記載の方法。
【請求項６】
対象体の糖尿病前症を診断するために、前記対象体の生体試料中のＡｐｏＣＩＩＩ及びその変異体のうちの少なくとも１つのレベルを検出する方法であって、前記診断では前記ＡｐｏＣＩＩＩ及びその変異体のうちの少なくとも１つのレベルが、正常耐糖能を有する１つ又は複数の対象体に存在するレベルから統計的に有意な量調節されている場合に、前記対象体は糖尿病前症を有すると診断される方法。
【請求項７】
前記診断では、前記ＡｐｏＣＩＩＩ及びその変異体のうちの少なくとも１つのレベルが、正常耐糖能を有する１つ又は複数の対象体に存在するレベルを超えて統計的有意な量増加されている場合に、前記対象体は糖尿病前症を有すると診断される、請求項６に記載の方法。
【請求項８】
前記方法が、ＡｐｏＣＩＩＩ（１）のレベルを検出するステップを含み、前記診断では、ＡｐｏＣＩＩＩ（１）のレベルが、正常耐糖能を有する１つ又は複数の対象体に存在するＡｐｏＣＩＩＩ（１）のレベルから統計的に有意な量調節されている場合に、前記対象体は糖尿病前症を有すると診断される、請求項６に記載の方法。
【請求項９】
前記診断では、前記ＡｐｏＣＩＩＩ（１）のレベルが、正常耐糖能を有する１つ又は複数の対象体に存在するレベルを超えて統計的有意な量増加されている場合に、前記対象体は糖尿病前症を有すると診断される、請求項８に記載の方法。
【請求項１０】
対象体の２型糖尿病を診断するために、前記対象体の生体試料中のＡｐｏＣＩＩＩ及びその変異体のうちの少なくとも１つのレベルを検出する方法であって、前記診断では、ＡｐｏＣＩＩＩ及びその変異体のうちの少なくとも１つのレベルが、正常耐糖能を有する１つ又は複数の対象体に存在するレベルから統計的に有意な量調節されている場合に、前記対象体は２型糖尿病を有すると診断される方法。
【請求項１１】
前記診断では、前記ＡｐｏＣＩＩＩ及びその変異体のうちの少なくとも１つのレベルが、正常耐糖能を有する１つ又は複数の対象体に存在するレベルを超えて統計的に有意な量増加されている場合に、前記対象体は２型糖尿病を有すると診断される、請求項１０に記載の方法。
【請求項１２】
前記方法が、ＡｐｏＣＩＩＩ（１）のレベルを検出するステップを含み、前記診断では、ＡｐｏＣＩＩＩ（１）のレベルが、正常耐糖能を有する１つ又は複数の対象体に存在するＡｐｏＣＩＩＩ（１）のレベルから統計的に有意な量調節されている場合に、前記対象体は２型糖尿病を有すると診断される、請求項１０に記載の方法。
【請求項１３】
前記診断では、前記ＡｐｏＣＩＩＩ（１）のレベルが、正常耐糖能を有する１つ又は複数の対象体に存在するＡｐｏＣＩＩＩ（１）のレベルを超えて統計的に有意な量増加されている場合に、前記対象体は２型糖尿病を有すると診断される、請求項１２に記載の方法。
【請求項１４】
１つ又は複数の対象体の２型糖尿病、糖尿病前症、インスリン抵抗性、及びそれらの関連状態のうちの少なくとも１つの治療的処置を評価する方法であって、前記１つ又は複数の対象体に由来する生体試料中のＡｐｏＣＩＩＩ及びその変異体のうちの少なくとも１つをモニターするステップを含む方法。
【請求項１５】
前記ＡｐｏＣＩＩＩ及びその変異体のうちの少なくとも１つをモニターするステップが、ＡｐｏＣＩＩＩ（０）、ＡｐｏＣＩＩＩ（１）、及びＡｐｏＣＩＩＩ（２）のうちの少なくとも１つをモニターするステップを含む、請求項１４に記載の方法。
【請求項１６】
２型糖尿病、糖尿病前症、インスリン抵抗性、及びそれらの関連状態のうちの少なくとも１つの治療的処置を特定する方法であって、前記治療的処置が、対象体内のＡｐｏＣＩＩＩ及びその変異体のうちの少なくとも１つの活性又は濃度を調節することができるかどうかを決定するステップを含む方法。
【請求項１７】
前記治療的処置がＡｐｏＣＩＩＩ及びその変異体のうちの少なくとも１つの活性又は濃度を調節することができるかどうかを判断するステップが、前記治療的処置がＡｐｏＣＩＩＩ（０）、ＡｐｏＣＩＩＩ（１）、及びＡｐｏＣＩＩＩ（２）のうちの少なくとも１つの活性又は濃度を調節することができるかどうかを判断するステップを含む、請求項１６に記載の方法。
【手続補正書】
【提出日】平成25年7月8日(2013.7.8)
【手続補正１】
【補正対象書類名】特許請求の範囲
【補正対象項目名】全文
【補正方法】変更
【補正の内容】
【特許請求の範囲】
【請求項１】
粘液でコーティングされている固相の支持体を備えているキットであって、
上記粘液でコーティングされている支持体は、粘液を腸の表面からこすり取る工程、上記粘液をバッファー中に懸濁する工程、および、上記粘液を上記固相の支持体の表面に固定化する工程を介して調製されたものであることを特徴とするキット。
【請求項２】
さらに、細菌を含むサンプルと、上記細菌に対して特異的な一次抗体と、上記細菌へ結合した上記一次抗体に対して特異的な、検出可能に標識されている二次抗体と、上記検出可能に標識されている二次抗体を視覚化するための基質とを備えていることを特徴とする請求項１に記載のキット。
【請求項３】
上記基質は、上記検出可能に標識されている二次抗体の存在下で、比色シグナル、蛍光シグナル、または化学発光シグナルを発する組成物であることを特徴とする請求項２に記載のキット。
【請求項４】
上記比色シグナルを発する組成物は、３，３’，５，５’−テトラメチルベンジジンであることを特徴とする請求項３に記載のキット。
【請求項５】
上記固相の支持体は、マイクロタイタープレートであることを特徴とする請求項１に記載のキット。
【請求項６】
上記細菌は、Acidobacteria、Actinobacteria、Aquificae、Bacteroidetes/Chlorobi、Chlamydiae/Verrucomicrobia、Chloroflexi、Chrysiogenetes、Cyanobacteria、Deferribacteres、Deinococcus-Thermus、Dictyoglomi、Fibrobacteres、Firmicutes、Fusobacteria、Gemmatimonadetes、Nitrospirae、Planctomycetes、Proteobacteria、Spirochaetes、Synergistetes、Tenericutes、Thermodesulfobacteria、Thermotogae、Bordetella、Borrelia、Brucella、Campylobacter、Chlamydia、Clostridium、Corynebacterium、Enterococcus、Escherichia、Francisella、Haemophilus、Helicobacter、Legionella、Leptospira、Listeria、Mycobacterium、Mycoplasma、Neisseria、Pseudomonas、Rickettsia、Salmonella、Shigella、Staphylococcus、Streptococcus、Treponema、Vibrio、および／またはYersinia属の生きている細菌または不活性化された細菌であることを特徴とする請求項２に記載のキット。
【請求項７】
上記細菌は、Ｅ．ｃｏｌｉのＡＬＩ８４および／またはＡＬＩ４４６であることを特徴とする請求項２に記載のキット。
【請求項８】
上記粘液は、ブタ近位側回腸粘液、ブタ遠位結腸粘液、ブロイラー十二指腸粘液、およびブロイラー盲腸粘液からなる群から選択されることを特徴とする請求項１に記載のキット。
【請求項９】
上記固相の支持体の表面をコーティングするために、バッファー１ｍｌあたりに０．０００５〜１．０ｍｇ、０．００１〜０．２ｍｇ、０．１ｍｇ、０．２ｍｇ、０．３ｍｇ、０．４ｍｇ、０．５ｍｇ、０．７５ｍｇまたは１．０ｍｇの粘液タンパク質が使用されることを特徴とする請求項１に記載のキット。
【請求項１０】
上記粘液でコーティングされた表面は、プレートを粘液によってコーティングし、続いて当該コーティングされた表面を空気乾燥または凍結させる工程を介して、事前にコーティングされていることを特徴とする請求項１に記載のキット。
【請求項１１】
請求項１〜１０のいずれか１項に記載のキットの使用であって、細菌と粘液との間の付着および非付着を測定するための方法におけるキットの使用。
【請求項１２】
上記方法は、放射活性を利用しないことを特徴とする請求項１１に記載のキットの使用。
【請求項１３】
上記方法は、細菌と粘液との間の付着を調節する薬剤を特定するために使用されることを特徴とする請求項１１に記載のキットの使用。
【請求項１４】
上記薬剤は、家畜、動物、魚、および貝からなる群から選択される対象によって消費されるために作られる食品の中に含まれる組成物であることを特徴とする請求項１３に記載の使用。
【手続補正書】
【提出日】平成24年3月22日(2012.3.22)
【手続補正１】
【補正対象書類名】特許請求の範囲
【補正対象項目名】全文
【補正方法】変更
【補正の内容】
【特許請求の範囲】
【請求項１】
１つ又は複数の対象体の２型糖尿病、糖尿病前症、インスリン抵抗性、及びそれらの関連状態のうちの少なくとも１つを判定、診断、モニターすることのうちの少なくとも１つをするために、ＳＡＡ、ＳＡＡ変異体、及びＳＡＡの表現型比率のうちの少なくとも１つを分析する方法。
【請求項２】
親ＳＡＡ及びＳＡＡ−Ａｒｇのうちの少なくとも１つを分析するステップを含む、請求項１に記載の方法。
【請求項３】
質量分析、クロマトグラフィー、親和性反応、ゲル電気泳動法、遠心分離、化学的方法、及び染色法のうちの少なくとも１つを実施するステップを含む、請求項１に記載の方法。
【請求項４】
単一のアッセイを実施するステップを含む、請求項１に記載の方法。
【請求項５】
単一の質量分析を実施するステップを更に含む、請求項４に記載の方法。
【請求項６】
対象体の糖尿病前症を診断するために、前記対象体の生体試料中のＳＡＡ、ＳＡＡ変異体、及びＳＡＡの表現型比率のうちの少なくとも１つのレベルを検出する方法であって、前記診断では前記ＳＡＡ、ＳＡＡ変異体、及びＳＡＡの表現型比率のうちの少なくとも１つのレベルが、正常耐糖能を有する１つ又は複数の対象体に存在するレベルから統計的に有意な量調節されている場合に、前記対象体は糖尿病前症を有すると診断される方法。
【請求項７】
前記診断では、前記ＳＡＡ、ＳＡＡ変異体、及びＳＡＡの表現型比率のうちの少なくとも１つのレベルが、正常耐糖能を有する１つ又は複数の対象体に存在するレベルを超えて統計的に有意な量増加されている場合に、前記対象体は糖尿病前症を有すると診断される、請求項６に記載の方法。
【請求項８】
前記方法が、前記親ＳＡＡ及びＳＡＡ−Ａｒｇのレベルを検出するステップを含み、前記診断では、ＳＡＡの表現型比率が、正常耐糖能を有する１つ又は複数の対象体に存在するＳＡＡの表現型比率から統計的に有意な量調節されている場合に、前記対象体は糖尿病
前症を有すると診断される、請求項６に記載の方法。
【請求項９】
前記診断では、前記ＳＡＡの表現型比率が、正常耐糖能を有する１つ又は複数の対象体に存在するＳＡＡの表現型比率を超えて統計的に有意な量増加されている場合に、前記対象体は糖尿病前症を有すると診断される、請求項８に記載の方法。
【請求項１０】
対象体の２型糖尿病を診断するために、前記対象体の生体試料中のＳＡＡ、ＳＡＡ変異体、及びＳＡＡの表現型比率のうちの少なくとも１つのレベルを検出する方法であって、前記前記診断ではＳＡＡ、ＳＡＡ変異体、及びＳＡＡの表現型比率のうちの少なくとも１つのレベルが、正常耐糖能を有する１つ又は複数の対象体に存在するレベルから統計的に有意な量調節されている場合に、前記対象体は２型糖尿病を有すると診断される方法。
【請求項１１】
前記診断では、前記ＳＡＡ、ＳＡＡ変異体、及びＳＡＡの表現型比率のうちの少なくとも１つのレベルが、正常耐糖能を有する１つ又は複数の対象体に存在するレベルを超えて統計的に有意な量増加されている場合に、前記対象体は２型糖尿病を有すると診断される、請求項１０に記載の方法。
【請求項１２】
前記方法が、前記親ＳＡＡ及びＳＡＡ−Ａｒｇのレベルを検出するステップを含み、前記診断では、ＳＡＡの表現型比率が、正常耐糖能を有する１つ又は複数の対象体に存在するＳＡＡの表現型比率から統計的に有意な量調節されている場合に、前記対象体は２型糖尿病を有すると診断される、請求項１０に記載の方法。
【請求項１３】
前記診断では、前記ＳＡＡの表現型比率が、正常耐糖能を有する１つ又は複数の対象体に存在するＳＡＡの表現型比率を超えて統計的に有意な量増加されている場合に、前記対象体は２型糖尿病を有すると診断される、請求項１２に記載の方法。
【請求項１４】
１つ又は複数の対象体の２型糖尿病、糖尿病前症、インスリン抵抗性、及びそれらの関連状態のうちの少なくとも１つの治療的処置を評価する方法であって、前記１つ及び／又は複数の対象体に由来する生体試料中のＳＡＡ，ＳＡＡ変異体，及びＳＡＡの表現型比率のうちの少なくとも１つをモニターするステップを含む方法。
【請求項１５】
前記ＳＡＡ、ＳＡＡ変異体、及びＳＡＡの表現型比率のうちの少なくとも１つをモニターするステップが、親ＳＡＡ及びＳＡＡ−Ａｒｇのうちの少なくとも１つをモニターするステップを含む、請求項１４に記載の方法。
【請求項１６】
２型糖尿病、糖尿病前症、インスリン抵抗性、及びそれらの関連状態のうちの少なくとも１つの治療的処置を特定する方法であって、前記治療的処置が、対象体内のＳＡＡ、ＳＡＡ変異体、及びＳＡＡの表現型比率のうちの少なくとも１つの活性又は濃度を調節することができるかどうかを決定するステップを含む方法。
【請求項１７】
前記治療的処置が、ＳＡＡ、ＳＡＡ変異体、及びＳＡＡの表現型比率のうちの少なくとも１つの活性又は濃度を調節することができるかどうかを決定するステップが、前記治療的処置が、ＳＡＡ、ＳＡＡ変異体、及びＳＡＡの表現型比率のうちの少なくとも１つの活性又は濃度を調節することができるかどうかを決定するステップを含む、請求項１６に記載の方法。